【事件の表示】
　国際登録第７８８９１３号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＳＬＲ．ＵＮＬＩＭＩＴＥＤ．」の欧文字を書してなり、第１２類「Ｍｏｔｏｒ　ｖｅｈｉｃｌｅｓ　ａｎｄ　ｐａｒｔｓ　ｔｈｅｒｅｏｆ（ｉｎｃｌｕｄｅｄ　ｉｎ　ｔｈｉｓ　ｃｌａｓｓ）．」及び第２８類「Ｍｏｄｅｌ　ｖｅｈｉｃｌｅｓ．」を指定商品として、２００２年３月６日にＧｅｒｍａｎｙにおいてした商標登録出願に基づいてパリ条約第４条による優先権を主張し、２００２年（平成１４年）９月３日に国際登録されたものである。
２　引用商標
　原査定において、本願の拒絶の理由に引用した登録第２４５８８９９号商標（以下「引用商標１」という。）は、「ＵＮＬＩＭＩＴＥＤ」の欧文字、及び「アンリミテッド」の片仮名文字を上下二段に書してなり、昭和５９年６月１２日登録出願、第２４類「おもちゃ、人形、娯楽用具、運動具、釣り具、これらの部品及び附属品」を指定商品として、平成４年９月３０日に設定登録され、その後、同１４年５月７日存続期間の更新登録がされ、同１５年６月２５日に指定商品を第６類「アイゼン，カラビナ，ハーケン，金属製飛び込み台，金属製あぶみ，拍車」、第８類「水中ナイフ，水中ナイフ保持具，ピッケル」、第９類「家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター」、第１８類「乗馬用具」、第１９類「飛び込み台（金属製のものを除く。）」、第２０類「揺りかご，幼児用歩行器，マネキン人形，洋服飾り型類，スリーピングバッグ」、第２１類「コッフェル」、第２２類「ザイル，登山用又はキャンプ用のテント」、第２４類「ビリヤードクロス」、第２５類「仮装用衣服，運動用特殊衣服，運動用特殊靴（「乗馬靴」を除く。），乗馬靴」、第２７類「体操用マット」、第２８類「おもちゃ，人形，囲碁用具，将棋用具，歌がるた，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，運動用具，釣り具」及び第３１類「釣り用餌」とする指定商品の書換登録がされたものである。
　同じく、登録第２１０６６０６号商標（以下「引用商標２」という。）は、「ＳＬＲ」の欧文字を書してなり、昭和６１年８月２９日登録出願、第２４類「釣り具、運動具、その他本類に属する商品」を指定商品として、平成１年１月２３日に設定登録され、その後、同１０年１１月１７日に存続期間の更新登録がされたものである。
　同じく、登録第４３０２１１４号商標（以下「引用商標３」という。）は、「ＳＬＲ」の欧文字を標準文字で書してなり、平成９年１２月２６日登録出願、第１２類「自転車並びにその部品及び付属品（但し，タイヤ，チューブを除く）」を指定商品として、同１１年８月６日に設定登録されたものである。
　同じく、登録第４５７０３６４号商標（以下「引用商標４」という。）は、「ＰＡＲＴＳ」及び「ＵＮＬＩＭＩＴＥＤ」の欧文字を上下二段に書してなり、平成１２年５月１２日登録出願、第１２類「オートバイの部品及び附属品，スノーモービルの部品及び附属品，二輪タイプ及び四輪タイプの全地形走行車の部品及びその附属品，水上オートバイの部品及び附属品」及び第３５類「オートバイの構造部品及び附属品・スノーモービルの構造部品及び附属品・二輪タイプ及び四輪タイプの全地形走行車の構造部品及び附属品・水上オートバイの構造部品及び附属品に関する商品カタログの企画又は作成，郵便・電話・ファクシミリ・電子媒体その他の媒体によるオートバイの構造部品及び附属品・スノーモービルの構造部品及び附属品・二輪タイプ及び四輪タイプの全地形走行車の構造部品及びその附属品・水上オートバイの構造部品及び附属品その他の商品の受注・発注・出荷業務に関する事務処理代行，オートバイの構造部品及び附属品・スノーモービルの構造部品及び附属品・二輪タイプ及び四輪タイプの全地形走行車の構造部品及びその附属品・水上オートバイの構造部品及び附属品その他の商品の販売に関する情報の提供，経営の診断及び指導，市場調査，ホテルの事業の管理，広告，トレーディングスタンプの発行，職業のあっせん，競売の運営，輸出入に関する事務の代理又は代行，新聞の予約購読の取次ぎ，書類の複製，速記，筆耕，電子計算機・タイプライター・テレックス又はこれらに準ずる事務用機器の操作，文書又は磁気テープのファイリング，建築物における来訪者の受付及び案内，広告用具の貸与，タイプライター・複写機及びワードプロセッサの貸与」を指定商品及び指定役務として、同１４年５月２４日に設定登録されたものである。
　なお、引用商標２は、平成１６年１月２３日に、分割（後期分）登録料不納により消滅し、その抹消の登録が同１６年１０月２０日にされたものである。
３　当審の判断
　本願商標は、上記１のとおりの構成よりなるところ、その構成中の「ＳＬＲ」及び「ＵＮＬＩＭＩＴＥＤ」の各欧文字に続いて「．」（ピリオド）を有するものであるが、その前半の「ＳＬＲ」の文字部分は特定の意味を有するものとは認められず、後半の「ＵＮＬＩＭＩＴＥＤ」の文字部分は、「際限のない、無制限の」等の意味の英語として知られている語であるとしても、指定商品及び指定役務との関係では特定の意味合いで普通に使用されている事実は認められず、本願商標は、全体として造語と見られるものである。そして、本願商標は、同書同大同間隔に一体的に表されているものであり、その構成文字全体より生ずる称呼もよどみなく一気に称呼し得るものであるから、かかる構成において、殊更、「ＳＬＲ」及び「ＵＮＬＩＭＩＴＥＤ」の各欧文字部分のみを分離して観察しなければならない格別の理由は、見当たらないものである。
　してみれば、本願商標は、その構成文字に相応して「エスエルアールアンリミテッド」の称呼のみを生ずる一種の造語よりなるものと見るのが相当である。
　他方、引用商標１は、上記２のとおりの構成よりなるところ、その構成文字に相応して「アンリミテッド」の称呼を生ずることは、明らかである。そして、「際限のない、無制限の」等の意味を有するものと認められる。
　そして、引用商標３は、上記２のとおりの構成よりなるところ、その構成文字に相応して「エスエルアール」の称呼を生ずることは、明らかである。そして、特定の意味を有しない造語と認められる。
　また、引用商標４は、上記２のとおり「ＰＡＲＴＳ」及び「ＵＮＬＩＭＩＴＥＤ」の欧文字を上下二段に横書きしてなるものであるところ、下段の「ＵＮＬＩＭＩＴＥＤ」の欧文字部分より、その構成文字に相応して「アンリミテッド」の称呼をも生ずるものと認められ、「際限のない、無制限の」等の意味を有するものと認められる。
　引用商標２に係る商標権は、上述のとおり、分割登録料不納により消滅し、その抹消の登録がされているから、これにつき、本願商標が商標法第４条第１項第１１号に該当するとの拒絶の理由は、解消した。
　そうすると、引用商標１及び引用商標４より「アンリミテッド」の称呼を、また、引用商標３より「エスエルアール」の称呼を生ずるとしても、本願商標よりは「エスエルアール」又は「アンリミテッド」の称呼は生じないというべきであるから、本願商標より「エスエルアール」又は「アンリミテッド」の称呼をも生ずるとし、その上で、本願商標と引用商標とが称呼上類似するものとして、本願商標を商標法第４条第１項第１１号に該当するとした原査定は、妥当でなく、取消しを免れない。
　その他、政令で定める期間内に本願について拒絶の理由を発見しない。
　よって、結論のとおり審決する。